(57)【要約】【課題】  マルチメディアメッセージ用情報処理装置に記憶されている自分宛の複数のマルチメディアメッセージを１回の操作で一括消去できる移動体通信端末を提供する。【解決手段】  本移動体通信端末（携帯電話機）１０は通信部１１０と操作部１１４と制御部１１３とを備える。制御部１１３は、操作部１１４で全件消去指示が入力されたときに、マルチメディアメッセージ用情報処理装置（ＭＭＳＣ）２５のメッセージ記憶部に記憶されている当該移動体通信端末の利用者宛の複数のＭＭＳメッセージの全件のリスト情報を取得し、そのリスト情報に基づいて、利用者宛の複数のマルチメディアメッセージの全件について個別消去処理を繰り返し実行するように、通信部１１０を制御する。個別消去処理では、ＭＭＳメッセージを消去する個別消去指令をＭＭＳＣ２５に送信し、ＭＭＳＣ２５からＭＭＳメッセージの個別消去が完了した旨の消去処理応答を受信する。【選択図】  図１４
2006121354.tif 000002
【特許請求の範囲】
【請求項１】
複数のメディアタイプのデータを含めることができるマルチメディアメッセージを、通信ネットワークを介してマルチメディアメッセージ用情報処理装置から受信可能な移動体通信端末であって、
通信ネットワークを介してマルチメディアメッセージ用情報処理装置と通信するための通信手段と、
該マルチメディアメッセージ用情報処理装置のメッセージ記憶手段に記憶されている当該移動体通信端末の利用者宛の複数のマルチメディアメッセージに対する全件消去指示を入力するための全件消去指示入力手段と、
該全件消去指示が入力されたときに、該マルチメディアメッセージ用情報処理装置のメッセージ記憶手段に記憶されている当該移動体通信端末の利用者宛の複数のマルチメディアメッセージの全件のリスト情報を取得し、該リスト情報に基づいて、該利用者宛の複数のマルチメディアメッセージの全件について、該マルチメディアメッセージを消去する個別消去指令を該マルチメディアメッセージ用情報処理装置に送信し該マルチメディアメッセージ用情報処理装置から該マルチメディアメッセージの個別消去が完了した旨の消去処理応答を受信する個別消去処理を繰り返し実行するように、該通信手段を制御する制御手段とを備えたことを特徴とする移動体通信端末。
【発明の詳細な説明】
【技術分野】
【０００１】
本発明は、複数のメディアタイプのデータを含めることができるマルチメディアメッセージを、通信ネットワークを介してマルチメディアメッセージ用情報処理装置から受信可能な携帯電話機等の移動体通信端末に関するものである。
【背景技術】
【０００２】
従来、この種の移動体通信端末として、移動体通信ネットワーク等の通信ネットワークを介して、他の移動体通信端末との間でメッセージを送受信可能な携帯電話機などの移動体通信端末が知られている。当初、移動体通信ネットワークにおける伝送能力が悪かったため、上記移動体通信端末間で送受信されるメッセージの種類は、所定サイズ以下のテキストデータに限られていた。その後、移動体通信ネットワークにおける伝送能力の向上により、テキストのデータサイズが拡張されたメッセージや、静止画像等のデータが添付されたメッセージも送受信できるようになってきている。特に最近では、データ伝送速度が高速の移動体通信システムを用いて、テキスト、グラフィック、ビデオ、オーディオ等の複数のメディアタイプのデータを含むことができるマルチメディアメッセージを送受信可能なマルチメディアメッセージングサービス（ＭＭＳ）が提供されるようになってきている（例えば、非特許文献１及び特許文献１参照）。
【０００３】
【非特許文献１】Multimedia Messaging Service Architecture Overview Version 1.2 (OMA-MMS-ARCH-v1_2-20030920-C)
【特許文献１】特開２００２−２８１５５０号公報
【発明の開示】
【発明が解決しようとする課題】
【０００４】
上記ＭＭＳにおいて送受信されるマルチメディアメッセージは、移動体通信ネットワークに設けられたマルチメディアメッセージ用情報処理装置で管理される。このマルチメディアメッセージ用情報処理装置は、移動体通信端末宛に送信されてきたマルチメディアメッセージが一旦保存されるメッセージ記憶手段を備えている。マルチメディアメッセージ用情報処理装置は、マルチメディアメッセージを受信してメッセージ記憶手段に保存し、そのマルチメディアメッセージの宛先である利用者の移動体通信端末に着信通知を送信する。この着信通知を受信した移動体通信端末において、着信通知に対するマルチメディアメッセージの続き受信を行うと、上記マルチメディアメッセージ用情報処理装置のメッセージ記憶手段から読み出された当該マルチメディアメッセージの全体を受信することができる。
【０００５】
上記マルチメディアメッセージ用情報処理装置のメッセージ記憶手段には、利用者ごとに所定の容量サイズの記録領域であるメッセージボックスが設定され、各メッセージボックスに各利用者宛のマルチメディアメッセージが区分けされて記憶される。このメッセージボックスの容量サイズは有限であるため、マルチメディアメッセージを容量一杯に記憶すると、そのメッセージボックスに対応する利用者宛のマルチメディアメッセージを受信できなくなってしまうおそれがある。そこで、各利用者は、自分に割り当てられたメッセージボックスの使用状況をときどき確認し、上記マルチメディアメッセージが受信不可になる前に、上記メッセージボックスに残っている複数のマルチメディアメッセージの全件を消去する場合がある。
【０００６】
ところが、上記ＭＭＳにおいて上記メッセージボックスに記憶されている複数のマルチメディアメッセージを消去するときは、各マルチメディアメッセージの１件ごとに、メッセージ消去を指示する操作を行って消去指令をマルチメディアメッセージ用情報処理装置に送信し、その消去完了の応答を受信する必要があった。そのため、メッセージボックスに残っている複数のマルチメディアメッセージの全件を消去しようとすると、複数のマルチメディアメッセージの全件について上記消去指示を行うための操作を繰り返す煩雑な作業が必要になるという問題があった。
【０００７】
本発明は以上の問題点に鑑みなされたものであり、その目的は、マルチメディアメッセージ用情報処理装置に記憶されている自分宛の複数のマルチメディアメッセージを１回の操作で一括消去できる移動体通信端末を提供することである。
【課題を解決するための手段】
【０００８】
上記目的を達成するために、請求項１の発明は、複数のメディアタイプのデータを含めることができるマルチメディアメッセージを、通信ネットワークを介してマルチメディアメッセージ用情報処理装置から受信可能な移動体通信端末であって、通信ネットワークを介してマルチメディアメッセージ用情報処理装置と通信するための通信手段と、該マルチメディアメッセージ用情報処理装置のメッセージ記憶手段に記憶されている当該移動体通信端末の利用者宛の複数のマルチメディアメッセージに対する全件消去指示を入力するための全件消去指示入力手段と、該全件消去指示が入力されたときに、該マルチメディアメッセージ用情報処理装置のメッセージ記憶手段に記憶されている当該移動体通信端末の利用者宛の複数のマルチメディアメッセージの全件のリスト情報を取得し、該リスト情報に基づいて、該利用者宛の複数のマルチメディアメッセージの全件について、該マルチメディアメッセージを消去する個別消去指令を該マルチメディアメッセージ用情報処理装置に送信し該マルチメディアメッセージ用情報処理装置から該マルチメディアメッセージの個別消去が完了した旨の消去処理応答を受信する個別消去処理を繰り返し実行するように、該通信手段を制御する制御手段とを備えたことを特徴とするものである。
【０００９】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機等の通話機能を有する電話機が挙げられる。また、この「移動体通信端末」としては、上記電話機のほか、通話機能を有するＰＤＡ（Personal Digital Assistance）等の通信端末も挙げられる。
また、上記移動体通信端末における制御や情報処理は、その移動体通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行ってもいいし、コンピュータネットワーク等の通信ネットワークを用いて行ってもよい。
【発明の効果】
【００１０】
本発明によれば、利用者による全件消去指示の操作を受け付けると、マルチメディアメッセージ用情報処理装置のメッセージ記憶手段に記憶されている当該移動体通信端末の利用者宛の複数のマルチメディアメッセージの全件のリスト情報を取得する。このリスト情報に基づいて、利用者宛の複数のマルチメディアメッセージの全件について、次のような個別消去処理を繰り返し実行する。すなわち、複数のマルチメディアメッセージごとに、そのマルチメディアメッセージを消去する個別消去指令をマルチメディアメッセージ用情報処理装置に送信するとともにマルチメディアメッセージ用情報処理装置からマルチメディアメッセージの個別消去が完了した旨の消去処理応答を受信する個別消去処理を繰り返し実行する。このように利用者による１回の全件消去指示の操作により、マルチメディアメッセージ用情報処理装置に記憶されている自分宛の複数のマルチメディアメッセージの全件について上記個別消去処理が自動的に繰り返し実行される。従って、マルチメディアメッセージ用情報処理装置に記憶されている自分宛の複数のマルチメディアメッセージを１回の操作で一括消去できるという効果がある。
【発明を実施するための最良の形態】
【００１１】
以下、図面を参照して本発明の実施の形態について説明する。
図１は本実施形態に係る通信システム全体の概略構成の一例を示す説明図である。この通信システムは、移動体通信端末としての携帯電話機１０Ａ，１０Ｂと、通信ネットワークとしての携帯電話通信網２０とを用いて構成されている。携帯電話通信網２０は、基地局２１と、コアネットワーク２０１と、ＩＰ（Internet Protocol）ネットワーク２０２と、ＳＭＳＣ（Short Message Service Center）２９とを備えている。
【００１２】
上記基地局２１は、管轄対象のセルごとに設けられ、携帯電話通信網２０内の有線回線からのデータを無線インタフェースに合うデータフォーマットに変換し、管轄対象のセル内にある携帯電話機１０Ａ，１０Ｂに無線周波数で送信する。逆に無線周波数で送信される携帯電話機１０Ａ，１０Ｂからのデータを受信して有線インタフェースに合うデータフォーマットに変換し、携帯電話通信網２０内の有線回線部分に転送する。
【００１３】
上記コアネットワーク２０１は、図示しない位置登録データベース（ＨＬＲ，ＶＬＲ）、加入者データベース、課金システム等を有し、各携帯電話機間の通信等を中継するように通信制御を行う。更に、コアネットワーク２０１は、各携帯電話機と、携帯電話通信網２０内の構成要素との間における通信を中継するように通信制御を行う。また、コアネットワーク２０１は、各携帯電話機と他の通信ネットワークとの間における通信を中継するように通信制御を行う。
【００１４】
また、上記コアネットワーク２０１は、回線交換網のほかパケット交換網を有している。このパケット交換網は、ＳＧＳＮ（Serving GPRS Support Node）２２やＧＧＳＮ（Gateway GPRS Support Node）２３等のノードを有している。ＳＧＳＮ２４は、基地局２１が接続されている図示しない無線ネットワークコントローラとコアネットワーク２０１側のパケット交換網との間のゲートウェイ機能と、各携帯電話機１０Ａ，１０Ｂの位置管理、セキュリティ管理及びアクセス制御を行う機能とを有している。また、ＧＧＳＮ２３は、コアネットワーク２０１側のパケット交換網と、ＩＰネットワーク２０２との間のゲートウェイ機能を有している。
【００１５】
上記ＩＰネットワーク２０２は、プロキシサーバ２４、マルチメディアメッセージ用情報処理装置としてのＭＭＳＣ（Multimedia Messaging Service Center）２５、ゲートウェイサーバ２６、ＰＰＧ（Push Proxy Gateway）サーバ２７、その他図示しないＷＥＢサーバ等を有している。
【００１６】
上記プロキシサーバ２４は、各携帯電話機１０Ａ，１０Ｂと、ＩＰネットワーク２０２内のサーバやインターネット上のサーバとの間の通信を中継する処理を行う。このプロキシサーバ２４は、コアネットワーク２０１における通信プロトコルとＩＰネットワーク２０２やインターネット３０等の他の通信ネットワークにおける通信プロトコルが異なる場合に、両通信プロトコルを合わせるためのプロトコル変換機能も有している。
なお、このＩＰネットワーク２０２の中に、ＷＥＢサーバや、コンテンツをダウンロードするためのダウンロードサーバを設けてもよい。
【００１７】
上記ＭＭＳＣ２５は、メッセージ記憶手段としてのメッセージボックス（メッセージデータベース）２５ａを有し、次のようなマルチメディアメッセージ（以下「ＭＭＳメッセージ」という。）の処理を行う。例えば、ＭＭＳＣ２５は、送信側の携帯電話機１０Ａから送信されたＭＭＳメッセージを受信すると、そのＭＭＳメッセージをメッセージボックス２５ａに一旦保存し、ＰＰＧサーバ２７やＳＭＳＣ２９等を介して受信側の携帯電話機１０ＢにＭＭＳメッセージの着信通知を送信する。この着信通知は、差出人（From）、件名（Subject）、メッセージ本文の冒頭部分（X-Mms-Notif-Text）などのデータが記述される所定のフィールドからなるヘッダー部を有している。ここで、メッセージ本文が短い場合は、そのメッセージ本文の全体が上記メッセージ本文用のフィールド（X-Mms-Notif-Text）に記述される。上記着信通知のヘッダー部は、送信日時（Date）のデータが記述されるフィールドを有するようにしてもよい。また、上記着信通知のデータは、先頭から複数の分割データである所定サイズ（例えば１４０バイト）のパケットに分割されて送信される。この分割されるパケットの数には特に制限はないが、通常３〜５個程度のパケットに分割される。本実施形態では着信通知を３個のパケットに分割して送信している。
【００１８】
上記着信通知を構成する複数のパケットはそれぞれ、ＭＭＳＣ２５から送信される順番に、上記ＭＭＳメッセージのメッセージ本文の冒頭部分を先頭から順番に分割したデータを含んでいる。例えば、第１番目のパケットには、メッセージ本文の所定サイズの冒頭部分のうち、先頭側のほぼ３分の１の部分が含まれている。第２番目のパケットには、上記冒頭部分の中央のほぼ３分の１の部分が含まれる。また、第３番目のパケットには、上記冒頭部分の後端側のほぼ３分の１の部分が含まれる。また、各パケットはＳＭＳＣ２９を経由してＳＭＳで携帯電話機に配信されるため、各パケットのデータサイズは、ＳＭＳによって配信可能なサイズ（例えば１４０バイト）に設定される。
【００１９】
また、上記ＭＭＳＣ２５は、受信側の携帯電話機１０Ｂからメッセージ取得要求を受けると、必要に応じて所定のフォーマット変換を行い、受信側の携帯電話機１０Ｂに送信する。また、ＭＭＳＣ２５は、インターネット３０から携帯電話機１０Ａ，１０Ｂ宛のＭＭＳメッセージを受信したときも着信通知を行った後、必要に応じて所定のフォーマット変換を行い、受信側の携帯電話機１０ＢへＭＭＳメッセージを送信する。
【００２０】
図２は、上記ＭＭＳＣ２５のハードウェア構成の一例を示すブロック図である。なお、上記ダウンロードサーバ５０も同様に構成することができる。このＭＭＳＣ２５は、システムバス２１０、ＣＰＵ２１１、内部記憶装置、外部記憶装置２１４、入力装置２１５、出力装置２１６、及び通信装置２１７を備えている。上記内部記憶装置は、ＲＡＭ２１２やＲＯＭ２１３等で構成されている。上記外部記憶装置は、ハードディスクドライブ（ＨＤＤ）や光ディスクドライブ等で構成されている。上記入力装置２１５は、マウスやキーボード等で構成されている。上記出力装置２１６は、ディスプレイやプリンタ等で構成されている。上記通信装置２１７は、所定の通信プロトコルにより、携帯電話通信網２０上のプロキシサーバ２６やＰＰＧサーバ２７と通信したり、ゲートウェイサーバ２６を介してインターネット３０上の各種クライアント端末や他のサーバと通信したりするための装置である。
上記ＣＰＵ２１１やＲＡＭ２１２等の構成要素はお互いに、システムバス２１０を介して、データやプログラムの命令等のやり取りを行っている。このＭＭＳＣ２５を所定の手順に従って動作させるためのプログラムはＲＯＭ２１３や外部記憶装置２１４に記憶されており、必要に応じてＣＰＵ２１１やＲＡＭ２１２上の作業エリアに呼び出されて実行される。
【００２１】
また、上記ＭＭＳＣ２５は、一部又は全体を専用の制御装置として構成してもいいし、一部又は全体を汎用のコンピュータシステムを用いて構成してもよい。また、はそれぞれ、１台のコンピュータで構成してもいいし、複数の機能をそれぞれ受け持つ複数台のコンピュータをネットワークで結んで構成してもよい。
【００２２】
図３は、本実施形態に係るＭＭＳＣ２５の主要な機能を抽出して示した機能ブロック図である。このＭＭＳＣ２５は、通信部２５１とメッセージ記憶部２５２と着信通知データ生成部２５３と着信通知データ送信部２５４とメッセージ処理部２５５とを備えている。
【００２３】
上記通信部２５１は上記通信装置２１７等で構成され、携帯電話通信網２０を介して送信側の携帯電話機１０ＡからＭＭＳメッセージを受信する手段としての機能を有する。すなわち、この通信部２５１は、送信側の携帯電話機１０Ａから送信され基地局２１やプロキシサーバ２４等を経由して伝送されてきた受信側の携帯電話機１０Ｂ宛のＭＭＳメッセージを受信する。また、このメッセージ通信部２５１は、他の通信端末からインターネット３０及び携帯電話通信網２０を介して送られてきたＭＭＳメッセージを受信する手段としての機能も有する。
【００２４】
また、上記通信部２５１は、携帯電話通信網２０を介して各携帯電話機１０Ａ，１０Ｂとの間で、メッセージ記憶部２５２に記憶されている各携帯電話機に対応した複数のＭＭＳメッセージについて、メッセージリスト取得要求及びメッセージリスト取得応答を送受信したり、メッセージごとの個別消去要求及び個別消去応答を送受信したりする手段としての機能も有する。
【００２５】
上記メッセージ記憶部２５２は上記外部記憶装置２１４等の記憶装置で構成され、メッセージ通信部２５１で受信したＭＭＳメッセージを記憶するメッセージ記憶手段として機能する。すなわち、このメッセージ記憶部２５２は前述のメッセージボックス（メッセージデータベース）２５ａに対応し、送信側の携帯電話機１０Ａや他の通信端末から送信されてきたＭＭＳメッセージを送信元の情報や送信先の情報等と対応付けて記憶している。
【００２６】
上記着信通知データ生成部２５３は上記ＣＰＵ２１１等で構成され、ＭＭＳメッセージを受信したときに、そのＭＭＳメッセージの差出人、件名及び送信日時の情報とともに、そのＭＭＳメッセージのメッセージ本文の少なくとも一部を含む着信通知の送信データを生成する着信通知データ生成手段としての機能を有する。このメッセージの本文データは、着信通知の送信データのヘッダーに設定したメッセージ本文用フィールドのテキストデータとして含めることができる。例えば、新規に定義された「X-Mms-Notif-Text」のフィールドに、ＭＭＳメッセージのメッセージ本文の全体又は一部を入力する。
【００２７】
上記着信通知データ送信部２５４は上記通信装置２１７等で構成され、上記着信通知データ生成部２５３で生成した着信通知の送信データを携帯電話通信網２０を介して受信側の携帯電話機１０Ｂに送信する着信通知データ送信手段としての機能を有する。すなわち、この着信通知データ送信部２５４は、ＭＭＳメッセージの差出人、件名及び送信日時の情報とともにメッセージ本文の少なくとも一部を含む着信通知の送信データを、携帯電話通信網２０のＰＰＧサーバ２７やＳＭＳＣ２９等を介して、受信側の携帯電話機１０Ｂに送信する。
【００２８】
上記メッセージ処理部２５５は上記ＣＰＵ２１１等で構成され、メッセージ記憶部２５２に記憶されている特定の携帯電話機に対応する複数のＭＭＳメッセージの全件について、その携帯電話機からメッセージリスト取得要求（全件リスト取得要求）を受信したとき、当該複数のＭＭＳメッセージのリスト情報を生成する手段としての機能を有する。このリスト情報は、全件リスト取得応答として当該携帯電話機に送信される。
また、メッセージ処理部２５５は、メッセージ記憶部２５２に記憶されている特定の携帯電話機に対応するＭＭＳメッセージについて、その携帯電話機からＭＭＳメッセージを特定して個別消去要求を受信したとき、当該ＭＭＳメッセージをメッセージ記憶部２５２から消去する手段としての機能を有する。
【００２９】
図４は、ＭＭＳ（Multimedia Messaging Service）を提供する上記ＭＭＳＣ２５を介して携帯電話機１０Ａ，１０Ｂ間で送受信されるＭＭＳメッセージの説明図である。このＭＭＳメッセージは、ＲＦＣ（Request for Comments）８２２，２８２２，２０４５，２０４６，２０４７，２０４９等で仕様が規定されているＭＩＭＥ（Multipurpose Internet Mail Extension）対応のインターネットテキストフォーマットのメッセージである。このＭＭＳメッセージは、メッセージ本文６０とヘッダー６１とにより構成されている。ＭＭＳメッセージのメッセージ本文６０は、テキスト情報のほか、音声、イメージ、ビデオ、オーディオなどの様々なメディアによる情報のデータを含めるように構成することができる。また、ＭＭＳメッセージのヘッダー６１は、送信側の携帯電話機などの通信端末において送信メッセージに関する様々な情報のデータが入力される各種フィールドで構成されている。
【００３０】
なお、上記ＭＭＳ、ＭＭＳＣ、ＭＭＳメッセージ等は、次の（１）〜（３）等に規定されている仕様に準拠するものである。
（１）Multimedia Messaging Service Architecture Overview Version 1.2 (OMA-MMS-ARCH-v1_2-20030920-C)
（２）Multimedia Messaging Service Client Transactions Version 1.2 (OMA- MMS-CTR-v1_2-20030916-C)
（３）Multimedia Messaging Service Encapsulation Protocol Version 1.2 (OMA-MMS-ENC-v1_2-20030915-C)
【００３１】
上記ゲートウェイサーバ２６は、携帯電話通信網２０のＩＰネットワーク２０２とインターネット３０との間のゲートウェイ機能とファイヤウォール機能とを有している。
【００３２】
上記ＰＰＧサーバ２７は、ＭＭＳＣ２５から受信したプッシュリクエストに基づいて、上記着信通知等のプッシュ型のメッセージを、ＳＭＳＣ２９を経由して携帯電話機１０Ａ，１０Ｂに送信する。
【００３３】
上記ＳＭＳＣ２９は、ショートメッセージサービス（ＳＭＳ）を提供するものであり、サイズ制限（例えば１２８バイト）のあるショートメッセージを送信側の携帯電話機１０Ａから受信し、受信側の携帯電話機１０Ｂに送信する。また、ＳＭＳＣ２９は、放送形式で複数の携帯電話機にへ一斉にショートメッセージを送信することもできる。
【００３４】
上記携帯電話通信網２０のＩＰネットワーク２０２を介して接続されているインターネット３０には、各種コンテンツ提供用のサーバが接続されている。このコンテンツ提供用のサーバとしては、ＷＥＢページのコンテンツを主に提供するＷＥＢサーバ４０や、画像ファイル、音楽ファイル、アプリケーションのプログラムファイルなどのコンテンツを主に提供するダウンロードサーバ５０等がある。
【００３５】
上記インターネット３０上の各種コンテンツ提供サーバから携帯電話機１０Ａ，１０Ｂにコンテンツをダウンロードするときには、ネットワークの各階層において所定の通信プロトコルが用いられる。例えば、ＷＥＢサーバ４０からＷＥＢページをダウンロードするときのアプリケーション層の通信プロトコルとしては、ＨＴＴＰ（HyperText Transfer Protocol）、Ｗ−ＨＴＴＰ（Wireless HyperText Transfer Protocol）、ＷＴＰ(Wireless Transaction Protocol)、ＷＳＰ（Wireless Session Protocol）等が用いられる。
【００３６】
図５は携帯電話機１０（１０Ａ、１０Ｂ）の一構成例を示す外観図であり、図６は、その携帯電話機１０のハードウェア構成を示す概略構成図である。また、図７は、携帯電話機１０におけるソフトウェア構造の説明図である。
この携帯電話機１０は、クラムシェル（折り畳み）タイプの携帯電話機であり、システムバス１００、ＣＰＵ１０１、ＲＡＭ１０２やＲＯＭ１０３等の記憶装置、入力装置１０４、出力装置１０５、携帯電話通信網用通信装置１０６、ＧＰＳ受信装置１０７を備えている。ＣＰＵ１０１やＲＡＭ１０２等の構成要素は、システムバス１００を介して、互いに各種データやプログラムの命令等のやり取りを行っている。
【００３７】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、ＷＥＢブラウザー、メーラー、音楽再生、動画表示、外部装置とのデータ送受信、アドレス帳管理、スケジューラ、メモ帳等がある。このＷＥＢブラウザー、メーラー、音楽再生、動画表示等のアプリケーションを起動し、そのアプリケーション上でＭＭＳメッセージの送受信を行ったり、受信したＭＭＳメッセージに含まれるテキストや画像（静止画、動画）コンテンツや音声や音楽等のオーディオコンテンツを出力したりしてもよい。
【００３８】
また、上記ＣＰＵ１０１は、上記記憶装置から所定のプログラムを読み込んで実行することにより、上記ネイティブ側の電話機プラットフォームとは異なるアプリケーション実行環境を構築することができる。そして、このアプリケーション実行環境上で、携帯電話機にプリインストールされているアプリケーションや利用者がダウンロードして登録したアプリケーション等の各種アプリケーションを実行することができる。このアプリケーションとしては、プラットフォームに依存しないオブジェクト指向プログラミングによって開発されたＪＡＶＡ（登録商標）、Ｃ＋＋等のプログラム言語で記述されたアプリケーションや、Ｃ言語やアセンブリ言語で記述されたアプリケーションなどが挙げられる。また、これらのアプリケーション実行環境は、例えばＪＡＶＡ（登録商標）の仮想マシン（ＶＭ：Virtual Machine）やＢＲＥＷ（登録商標）等のミドルウェアによって構築される。
【００３９】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、ＭＭＳメッセージを送受信したり、ＭＭＳメッセージに添付されている画像ファイルを展開して表示したり、音楽ファイルを展開して再生したり、アプリケーションプログラムを選択して実行したりすることができる。また、利用者は上記操作部を操作することにより、コンテンツ取得先のＵＲＬ等のデータを入力したり、電話着信の際に通話の開始及び終了を行ったり、アプリケーションプログラムの選択、起動及び停止を行ったりすることができる。また、利用者は上記操作部を操作することにより、上記ダウンロードサーバ５０から画像ファイル、音楽ファイル、アプリケーションプログラム等のコンテンツをダウンロードして登録することができる。
【００４０】
上記出力装置１０５は、表示手段である液晶ディスプレイ（ＬＣＤ）１７、スピーカー１８、図示しない振動デバイス等から構成されている。上記液晶ディスプレイ（ＬＣＤ）１７やスピーカー１８等からなる出力装置で構成されている出力部は、携帯電話通信網２０からＭＭＳメッセージやその着信通知を受信した旨を利用者に知らせたり、ＭＭＳメッセージのテキストや画像（静止画、動画）を液晶ディスプレイ（ＬＣＤ）１７に表示したり、ＭＭＳメッセージに添付の音声や音楽をスピーカー１８から出力したりするときに用いられる。上記ＭＭＳメッセージやその着信通知の受信を利用者に知らせるときは、出力部の液晶ディスプレイ（ＬＣＤ）１７に着信報知画像を表示したり、スピーカー１８から着信音を出力させたりする。
また、上記出力部は、携帯電話通信網２０を介して受信したＷｅｂページを液晶ディスプレイ（ＬＣＤ）１７に表示したり、携帯電話通信網２０から情報を着信した旨を利用者に知らせたりするときにも用いられる。また、上記出力部は、上記ゲーム等のアプリケーションプログラムの実行中に、そのプログラム実行に関連した画像の表示や音の出力に用いたり、情報配信サーバから受信した情報を表示したりするときにも用いられる。
なお、上記スピーカー１８は、通話中の音声を聞くための受話器用スピーカー（レシーバ）と、着信音や音楽などを出力する外部出力用スピーカーとを別々に設けて構成してもいいし、これらの受話器用スピーカー及び外部出力用スピーカーを兼用するように一つのスピーカーで構成してもよい。
【００４１】
上記出力装置１０５を構成する振動デバイスは、この振動デバイスは、マナーモード（サイレントモード）設定時などに音声電話を着信したりＭＭＳメッセージや各種配信情報を受信したりしたときに、携帯電話機１０の全体を振動させ、その着信等を利用者に知らせるように制御することができる。
【００４２】
上記携帯電話通信網用通信装置１０６は、変復調器、シンセサイザ、周波数変換器，高周波増幅器などにより構成され、携帯電話通信網２０を介して他の携帯電話機や上述したサーバ１１等と通信するときに用いられる。この携帯電話通信網用通信装置１０６は、携帯電話通信網２０を介して他の携帯電話機とＭＭＳメッセージのやり取りを行ったり、携帯電話通信網２０からゲートウェイサーバを介して、インターネット等の外部の通信ネットワークに接続し、インターネット上の通信端末とのＭＭＳメッセージのやり取り等を行ったりするための通信手段として用いられる。更に、この携帯電話通信網用通信装置１０６は、携帯電話通信網２０を介して、ダウンロードサーバ５０が提供するアプリケーションプログラムをダウンロードしたり、現在位置の位置情報を含む配信情報を受信したりする情報受信手段としても用いられる。
【００４３】
図８は、本実施形態に係る携帯電話機１０（１０Ａ，１０Ｂ）の主要な機能を抽出して示した機能ブロック図である。この携帯電話機１０は、通信部１１０と記憶部１１１と出力部１１２と制御部１１３と操作部１１４とを備えている。
【００４４】
上記通信部１１０は上記携帯電話通信網用通信装置１０６等で構成され、携帯電話通信網２０を介してＭＭＳＣ２５と通信するための通信手段としての機能を有する。
例えば、上記通信部１１０は、当該携帯電話機の利用者宛のマルチメディアメッセージのリスト情報を要求するメッセージリスト取得要求（全件リスト取得要求）をＭＭＳＣ２５に送信したり、該当するリスト情報を含むメッセージリスト情報取得応答（全件リスト取得応答）をＭＭＳＣ２５から受信したりする。
【００４５】
また、上記通信部１１０は、ＭＭＳメッセージを消去する個別消去指令をＭＭＳＣ２５に送信したり、ＭＭＳＣ２５からＭＭＳメッセージの個別消去が完了した旨の消去処理応答を受信したりする。
【００４６】
また、上記通信部１１０は、携帯電話通信網２０を介してＭＭＳＣ２５から、当該携帯電話機１０宛のＭＭＳメッセージの差出人、件名及び送信日時の情報とともに、そのＭＭＳメッセージのメッセージ本文の少なくとも一部を含む着信通知を受信する。すなわち、通信部１１０は、ＨＴＴＰ等の所定の通信プロトコルを用いた通信により、ＭＭＳメッセージに対する着信通知のデータを複数に分割したパケット（分割データ）を互いに独立に携帯電話通信網２０を介して受信する。また、通信部１１０は、他の携帯電話機から携帯電話通信網２０を介して送られてきたＭＭＳメッセージを受信する。また、通信部１１０は、他の通信端末からインターネット３０及び携帯電話通信網２０を介して送られてきたＭＭＳメッセージを受信する。
なお、上記ＭＭＳＣ２５がＭＭＳメッセージに対する着信通知のデータを複数に分割したパケット（分割データ）で送信する場合、上記通信部１１０は着信通知のデータを構成する複数パケットのデータを互いに独立に携帯電話通信網２０を介して受信する。この複数パケットのデータを制御部１１３で連結処理される。
【００４７】
上記記憶部１１１は上記ＲＡＭ１０２やＲＯＭ１０３等の記憶装置で構成され、通信部１１０で受信した着信通知の受信データやＭＭＳメッセージのリスト情報のデータを記憶する記憶手段としての機能を有する。また、この記憶部１１１は、通信部１１０で受信したＭＭＳメッセージを記憶するメッセージ記憶手段としての機能を有する。
【００４８】
上記出力部１１２は上記出力装置１０５等で構成され、通信部１１０で受信したメッセージ本文の少なくとも一部を含む着信通知の受信データを出力する出力手段としての機能を有する。また、出力部１１２は、ＭＭＳメッセージのメッセージ本文のデータをテキストや画像（静止画、動画）コンテンツとしてディスプレイ上に表示したり、音声や音楽等のオーディオコンテンツとしてスピーカーやイヤホンから出力したりすることもできる。
なお、上記ＭＭＳＣ２５がＭＭＳメッセージに対する着信通知のデータを複数に分割したパケット（分割データ）で送信する場合、上記出力部１１２は、通信部１１０で受信した複数のパケットの分割データを連結してＭＭＳメッセージの着信通知として出力する。
【００４９】
上記制御部１１３は上記ＣＰＵ１０１等で構成され、上記通信部１１０による着信通知の送信やＭＭＳメッセージの受信、上記記憶部１１１へのＭＭＳメッセージや着信通知の保存、上記出力部１１２へのＭＭＳメッセージや着信通知の出力等を制御する制御手段としての機能を有する。
【００５０】
また、上記制御部１１３は、利用者による全件消去指示の操作があったときに、次のようにＭＭＳＣ２５のメッセージボックス２５ａに記憶されている複数のマルチメディアメッセージを消去するための要求及び応答を送受信するように通信部１１０を制御する制御手段としての機能も有する。すなわち、この制御部１１３は、利用者による全件消去指示の操作があったときに、該マルチメディアメッセージ用情報処理装置のメッセージ記憶手段に記憶されている当該携帯電話機の利用者宛の複数のマルチメディアメッセージの全件のリスト情報を取得するように制御する。更に、制御部１１３は、そのリスト情報に基づいて、当該利用者宛の複数のマルチメディアメッセージの全件について、マルチメディアメッセージを消去する個別消去指令をＭＭＳＣ２５に送信しＭＭＳＣ２５からマルチメディアメッセージの個別消去が完了した旨の消去処理応答を受信する個別消去処理を繰り返し実行するように制御する。
【００５１】
上記操作部１１４は上記入力装置１０４等で構成され、ＭＭＳＣメッセージの全件消去指示を入力するための全件消去指示入力手段としての機能を有する。すなわち、この操作部１１４は利用者によって操作されることにより、上記ＭＭＳＣ２５のメッセージボックス２５ａにある自分宛のＭＭＳＣメッセージに対する全件消去指示を入力することができる。この全件消去指示の入力によって全件消去のための制御が開始される。
【００５２】
図９は、上記構成の通信システムにおいて携帯電話機１０Ａ、１０Ｂ間でＭＭＳメッセージを送受信するときの処理手順の一例を示すシーケンス図である。このメッセージ送受信処理では、メッセージ本文の一部を含む複数のパケットからなるメッセージ着信通知を受けた携帯電話機１０Ｂにおいて利用者が手動でメッセージの受信を行っている。
【００５３】
まず、送信側の利用者は、携帯電話機１０Ａを操作してＭＭＳメッセージ用のアプリケーションを起動し、ＭＭＳメッセージを作成する。そして、送信相手先のアドレスを指定して上記ＭＭＳメッセージを送信するように利用者が携帯電話機１０Ａを操作すると、携帯電話機１０Ａは、「ＨＴＴＰ  ＰＯＳＴ」によるメッセージ送信要求をＭＭＳＣ２５に送信する（ステップＳ１）。
【００５４】
ＭＭＳＣ２５は、上記メッセージ送信要求に対して「ＨＴＴＰ  ２００  ＯＫ」によるメッセージ送信応答を送信側の携帯電話機１０Ａに送信する（ステップＳ２）。その後、ＭＭＳＣ２５は、「ＳＭＳ」によるメッセージ着信通知を、ＰＰＧサーバ２７を経由して受信側の携帯電話機１０Ｂに送信する（ステップＳ３，Ｓ４）。このメッセージ着信通知の送信は、前述のようにメッセージ着信通知を分割した複数のパケット（分割データ）について実行される。
【００５５】
次に、受信側の携帯電話機１０Ｂは、待受け画面（図１０のＤ１０１参照）を表示した待受け状態で記メッセージ着信通知の少なくとも第１番目のパケットをＭＭＳＣ２５から受信すると、着信通知用に予め設定しておいたテキストや画像等からなる着信通知画面（図１０のＤ１０２、Ｄ１０３参照）を出力部のディスプレイ１７に表示したり、着信通知用に予め設定しておいた音声、特殊音、メロディー、音楽等を出力部のスピーカー１８から出力したりする。例えば、図１０のＤ１０２に示すような「メッセージ受信あり」等の着信通知メッセージをディスプレイ１７に表示する。このようなディプレイ１７上の着信通知表示やスピーカーからの着信通知音の出力により、受信側の携帯電話機１０Ｂの利用者は、自分宛のＭＭＳメッセージが届いていることを知ることができる。その着信通知の後、受信側の利用者は、任意のタイミングで、ＭＭＳメッセージを受信するように携帯電話機１０Ｂを操作することができる。例えば、図１０のＤ１０２、Ｄ１０３の着信通知画面の「表示」に対応するキーを押下する操作を行う。この操作により、着信メッセージを一覧形式で表示したメッセージボックス内の着信メッセージのリスト情報の画面（図１０のＤ１０４参照）が表示される。このメッセージボックスのリスト情報の画面上で新着メッセージの行を選択した状態で利用者が多機能キー（Ｆキー）１５を押下すると、着信通知で受信したメッセージ本文の冒頭部分が、添付ファイルの有無に関する情報とともに表示される。
【００５６】
次に、受信側の携帯電話機１０Ｂは、上記メッセージ着信通知に対して、「ＨＴＴＰ  ＰＯＳＴ」によるメッセージ着信通知応答をＭＭＳＣ２５に送信する（ステップＳ５）。このメッセージ着信通知応答の送信も、上記メッセージ着信通知を構成する複数のパケットごとに実行される。受信側の携帯電話機１０Ｂは、受信できなかったパケットについては、メッセージ着信通知応答を送信しない。ＭＭＳＣ２５は、携帯電話機１０Ｂが受信できなかったパケットについて所定のタイミングで再送する。
【００５７】
ＭＭＳＣ２５は、上記メッセージ着信通知応答を受信した後、「ＳＭＳ」によるメッセージ配信完了通知を、ＰＰＧサーバ２７を経由して送信側の携帯電話機１０Ａに送信する（ステップＳ６，Ｓ７）。このメッセージ配信完了通知のヘッダーには、ＭＭＳ用フィールドの一つである「X-Mms-Status: Deferred」が記述され、このヘッダーフィールドのデータを参照することにより、送信側の携帯電話機１０Ａは、メッセージ着信通知が受信側の携帯電話機１０Ｂに配信され、ＭＭＳメッセージの受信待ちの状態になっていることを認識することができる。
【００５８】
次に、受信側の利用者が上記着信通知を受けたＭＭＳメッセージのメッセージ本文の残りの部分及び添付ファイルを受信するときは、上記ＭＭＳメッセージ用のアプリケーション上で当該ＭＭＳメッセージを指定して受信処理を開始するように携帯電話機１０Ｂを操作する。例えば、上記着信通知の個別表示画面（図１０のＤ１０５参照）の「続き受信」に対応するキーを押下したり、オプション表示の画面（図１０のＤ１０６参照）で「１．全メッセージ取得」を選択した状態で画面上の「選択」に対応するキーを押下したりする。この操作により、受信側の携帯電話機１０Ｂは、「ＨＴＴＰ  ＧＥＴ」によるメッセージ受信要求をＭＭＳＣ２５に送信する（ステップＳ８）。このメッセージ受信要求を送信すると、ディスプレイ１７には「メッセージ取得中．．．」の画面（図１０のＤ１０７参照）が表示される。
なお、着信通知を構成するパケットの一部しか受信できていない連結未完了状態の着信通知の場合は、着信通知のリスト情報に表示され上記着信通知の個別表示画面（図１０のＤ１０５参照）を表示できたとしても、ＭＭＳメッセージの続き受信ができないように制御している。
【００５９】
ＭＭＳＣ２５は、上記メッセージ受信要求に対して「ＨＴＴＰ  ２００  ＯＫ」によるメッセージ受信応答を受信側の携帯電話機１０Ｂに送信する（ステップＳ９）。このメッセージ受信応答には、ＭＭＳＣ２５のメッセージボックスから読み出された受信対象のＭＭＳメッセージのメッセージ本文とそのメッセージ本文に対応するヘッダーが付加される。
【００６０】
次に、受信側の携帯電話機１０Ｂは、上記メッセージ受信応答に対して「ＨＴＴＰ  ２００  ＯＫ」による受信完了通知をＭＭＳＣ２５に送信する（ステップＳ１０）と、ディスプレイ１７上に「メッセージ取得完了」の画面（図１０のＤ１０８参照）を表示する。このメッセージ取得完了の画面上で「ＯＫ」に対応するキーを押下したり、所定時間経過したりすると、受信側の携帯電話機１０Ｂは、受信したＭＭＳメッセージのＭＩＭＥヘッダーの情報に基づいてメッセージ本文について後述の解釈処理を行った後、解釈処理後のＭＭＳメッセージの全文と添付ファイルの画像などを含むＭＭＳメッセージの画面（図１０のＤ１０９参照）をディスプレイ１７上に出力する。
【００６１】
ＭＭＳＣ２５は、上記受信完了通知を受信した後、「ＳＭＳ」によるメッセージ配信完了通知を、ＰＰＧサーバ２７を経由して受信側の携帯電話機１０Ｂに送信する（ステップＳ１１，Ｓ１２）。このメッセージ配信完了通知のヘッダーには、ＭＭＳ用フィールドの一つである「X-Mms-Status: Retrieved」が記述され、このヘッダーフィールドのデータを参照することにより、送信側の携帯電話機１０Ａは、ＭＭＳメッセージが受信側の携帯電話機１０Ｂに配信されたことを認識することができる。
【００６２】
図１１は、上記構成の通信システムにおいて携帯電話機１０Ａ、１０Ｂ間でＭＭＳメッセージを送受信するときの他の処理手順の一例を示すシーケンス図である。このメッセージ送受信処理では、メッセージの着信通知を受けた携帯電話機１０Ｂにおいて自動でメッセージの受信を行っている。なお、図１１中のステップＳ１〜Ｓ４については上記図９の場合と同様であるので、説明を省略する。
受信側の携帯電話機１０Ｂは、上記メッセージ着信通知をＭＭＳＣ２５から受信すると、次にようにＭＭＳメッセージの受信処理を自動的に開始する。まず、携帯電話機１０Ｂは、上記メッセージ着信通知に対して、「ＨＴＴＰ  ＧＥＴ」によるメッセージ受信要求をＭＭＳＣ２５に送信する（ステップＳ５）。
ＭＭＳＣ２５は、上記メッセージ受信要求に対して「ＨＴＴＰ  ２００  ＯＫ」によるメッセージ受信応答を受信側の携帯電話機１０Ｂに送信する（ステップＳ６）。このメッセージ受信応答には、ＭＭＳＣ２５のメッセージボックスから読み出された受信対象のＭＭＳメッセージのメッセージ本文とそのメッセージ本文に対応するヘッダーが付加される。
次に、受信側の携帯電話機１０Ｂは、上記メッセージ受信応答に対して「ＨＴＴＰ  ２００  ＯＫ」による受信完了通知をＭＭＳＣ２５に送信する（ステップＳ７）。更に、受信側の携帯電話機１０Ｂは、受信したＭＭＳメッセージのＭＩＭＥヘッダーの情報に基づいてメッセージ本文について後述の解釈処理を行った後、解釈処理後のＭＭＳメッセージを出力する。
ＭＭＳＣ２５は、上記受信完了通知を受信した後、「ＳＭＳ」によるメッセージ配信完了通知をＰＰＧサーバ２７を経由して受信側の携帯電話機１０Ｂに送信する（ステップＳ８，Ｓ９）。このメッセージ配信完了通知のヘッダーには、ＭＭＳ用フィールドの一つである「X-Mms-Status:Retrieved」が記述され、このヘッダーフィールドのデータを参照することにより、送信側の携帯電話機１０Ａは、ＭＭＳメッセージが受信側の携帯電話機１０Ｂに配信されたことを認識することができる。
【００６３】
図１２は、上記通信システムにおいてＭＭＳＣ２５のメッセージボックス２５ａ内にある自分宛のＭＭＳメッセージを一括して消去するときのシーケンス図である。また、図１３は、ＭＭＳメッセージを一括して消去するときの携帯電話機の画面表示の遷移図であり、図１４は、ＭＭＳメッセージを一括して消去するときの携帯電話機における制御手順の一例を示すフローチャートである。以下、上記受信側の携帯電話機１０ＢからＭＭＳＣ２５のメッセージボックス２５ａ内のＭＭＳメッセージを一括して消去する場合について説明する。
【００６４】
携帯電話機１０Ｂの利用者がＭＭＳＣ２５のメッセージボックス２５ａ内にある自分宛のＭＭＳメッセージの全件を一括して消去するときは、その全件消去を指示するように携帯電話機１０Ｂを操作する。例えば、利用者は、図１３のＤ２０１に示すメッセージボックス関連のメニュー画面で、「４．全メッセージ消去」を反転させた状態で画面下側にある「選択」を選ぶ。そして、図１３のＤ２０２に示す全メッセージ消去の確認画面で「はい」を選ぶように操作する。
【００６５】
次に、携帯電話機１０Ｂは、上記全メッセージ消去のための所定操作を受け付けると（図１４のS101）、「ＨＴＴＰ  ＧＥＴ」によるメッセージリスト要求（M-Mbox-view.req）を、ＭＭＳＣ２５に送信する（図１２のステップＳ１）。そして、携帯電話機１０Ｂには、図１３のＤ２０３で示すような全メッセージ消去が実行中である旨の画面表示が開始される。
【００６６】
次に、ＭＭＳＣ２５は、上記メッセージリスト要求を携帯電話機１０Ｂから受信すると、携帯電話機１０Ｂの利用者関連情報や端末識別情報等に基づいてメッセージボックス２５ａ内のデータを検索し、携帯電話機１０Ｂの利用者宛のＭＭＳメッセージの全件について差出人のアドレスなどを含むメッセージリスト情報を生成する。ＭＭＳＣ２５は、このメッセージリスト情報を含む「ＨＴＴＰ  ２００  ＯＫ」によるメッセージリスト応答（M-Mbox-view.cof）を、携帯電話機１０Ｂに送信する（図１２のステップＳ２）。携帯電話機１０Ｂは、上記メッセージリスト応答を受信すると、メッセージリスト応答に含まれるメッセージリスト情報を記憶部１１１に一旦保存する。このようにＭＭＳＣ２５との間でメッセージリスト要求及びメッセージリスト応答を送受信することにより、携帯電話機１０Ｂは、その利用者宛のＭＭＳメッセージのリスト情報を取得することができる（図１４のステップS102）。本例では、消去対象のＭＭＳメッセージの数が５つである。
【００６７】
次に、携帯電話機１０Ｂは、上記ＭＭＳメッセージのリスト情報に基づいて、消去対象の５つのＭＭＳメッセージについて、次のようなＭＭＳメッセージの個別消去処理を繰り返し実行する（図１２のステップＳ３〜Ｓ１２，図１４のステップS103〜S104）。１件のＭＭＳメッセージの個別消去処理において、携帯電話機１０Ｂはまず、「ＨＴＴＰ  ＧＥＴ」によるメッセージ個別消去要求（M-Mbox-Delete.req）を、ＭＭＳＣ２５に送信する（例えば図１２のステップＳ３）。ＭＭＳＣ２５は、上記メッセージ個別消去要求を携帯電話機１０Ｂから受信すると、携帯電話機１０Ｂの利用者関連情報や端末識別情報等に基づいてメッセージボックス２５ａ内のデータを検索し、当該ＭＭＳメッセージを消去する。ＭＭＳＣ２５は、上記ＭＭＳメッセージの消去処理が完了すると、「ＨＴＴＰ  ２００  ＯＫ」によるメッセージ個別消去応答（M-Mbox-Delete.cof）を、携帯電話機１０Ｂに送信する。携帯電話機１０Ｂは、上記メッセージ個別消去応答を受信すると、上記ＭＭＳメッセージのリスト情報に基づいて次の消去対象のＭＭＳメッセージがあるか否かの判断を行う。以上のＭＭＳメッセージの個別消去処理を、当該利用者宛のＭＭＳメッセージの全件について（本例の場合は５回）繰り返し実行する。なお、携帯電話機１０には、図１３のＤ２０３に示すように、上記全件のＭＭＳメッセージの個別消去処理の進行状況を示すバー表示が表示される。
【００６８】
次に、携帯電話機１０Ｂは、上記ＭＭＳメッセージの個別消去処理の繰り返し実行が完了すると、図１３のＤ２０４に示すように一括消去が完了した旨の画面を表示する（図１４のステップS105）。
【００６９】
なお、上記ＭＭＳＣ２５のメッセージボックス２５ａ内に保存されている自分宛のＭＭＳメッセージの数が多い場合は、上記メッセージリストを全件について一気に取得できない場合がある。その場合は、図１５に示すように上記メッセージリストの取得を所定数のＭＭＳメッセージごとに複数回に分けて実行するとともに、各メッセージリストについて上記ＭＭＳメッセージの個別消去処理を繰り返し実行する。
【００７０】
以上、本実施形態によれば、利用者が１回の全件消去指示の操作を行うと、ＭＭＳＣ２５に記憶されている自分宛の複数のＭＭＳメッセージの全件について上記個別消去処理が自動的に繰り返し実行される。従って、ＭＭＳＣ２５に記憶されている自分宛の複数のＭＭＳメッセージの全件を１回の操作で一括消去できる。
【００７１】
なお、上記実施形態ではＭＭＳメッセージの着信通知を受信する携帯電話機の場合について説明したが、本発明は、ＭＭＳメッセージの着信通知を受信するものであれば、携帯電話機以外の他の移動体通信端末の場合についても同様に適用することができる。
【図面の簡単な説明】
【００７２】
【図１】本発明の実施形態に係る通信システム全体の概略構成の一例を示す説明図。
【図２】ＭＭＳＣのハードウェア構成を示す概略構成図。
【図３】ＭＭＳＣの主要な機能を抽出して示した機能ブロック図。
【図４】ＭＭＳメッセージの説明図。
【図５】携帯電話機の一構成例を示す外観図。
【図６】携帯電話機のハードウェア構成を示す概略構成図。
【図７】携帯電話機におけるソフトウェア構造の説明図。
【図８】携帯電話機の主要な機能を抽出して示した機能ブロック図。
【図９】携帯電話機間でＭＭＳメッセージを送受信するときの処理手順の一例を示すシーケンス図。
【図１０】ＭＭＳメッセージを受信するときの画面遷移の説明図。
【図１１】携帯電話機間でＭＭＳメッセージを送受信するときの処理手順の他の例を示すシーケンス図。
【図１２】ＭＭＳＣ内の自分宛のＭＭＳメッセージを一括消去するときの手順の一例を示すシーケンス図。
【図１３】ＭＭＳメッセージを一括消去するときの画面遷移の説明図。
【図１４】ＭＭＳメッセージを一括消去するときの携帯電話機における制御手順の一例を示すフローチャート。
【図１５】ＭＭＳメッセージを一括消去するときの携帯電話機における制御手順の他の例を示すフローチャート。
【符号の説明】
【００７３】
１０    携帯電話機
１０Ａ  送信側の携帯電話機
１０Ｂ  受信側の携帯電話機
２０    携帯電話通信網
２５    ＭＭＳＣ（マルチメディアメッセージングサービスセンター）
２５ａ  メッセージボックス
２７    ＰＰＧ（プッシュプロキシゲートウェイ）サーバ
２９    ＳＭＳＣ（ショートメッセージサービスセンター）
【図１】
2006121354.tif 000003
【図２】
2006121354.tif 000004
【図３】
2006121354.tif 000005
【図４】
2006121354.tif 000006
【図５】
2006121354.tif 000007
【図６】
2006121354.tif 000008
【図７】
2006121354.tif 000009
【図８】
2006121354.tif 000010
【図９】
2006121354.tif 000011
【図１０】
2006121354.tif 000012
【図１１】
2006121354.tif 000013
【図１２】
2006121354.tif 000014
【図１３】
2006121354.tif 000015
【図１４】
2006121354.tif 000016
【図１５】
2006121354.tif 000017